(57)【特許請求の範囲】
【請求項１】
それぞれの検知エリア内の人体を検知する複数のセンサと、
前記センサが人体を検知したとき検知エリアを含む撮像エリアの静止画を撮像する撮像手段と、
この撮像手段からの画像信号を記録する画像記録手段と、
前記複数のセンサの検知エリアの一部に設定した索引用エリアに存在する人体を検知して指令信号を出力する索引指令回路と、
前記指令信号に基づいて、前記索引用エリア内の人体を撮像した画像信号に索引信号を付加する索引付加手段とを備えたセンサ連動静止画記録装置。
【請求項２】
請求項１において、前記複数のセンサの一つは、その検知エリアが前記索引用エリアとして設定されているセンサ連動静止画記録装置。
【請求項３】
請求項１において、前記センサは一対設けられており、両センサの検知エリアの重なった部分が前記索引用エリアとして設定されているセンサ連動静止画記録装置。
【発明の詳細な説明】
【０００１】
【発明の属する技術分野】
本発明は、所定の場所を通過する人物をセンサで検出して静止画像で記録する、センサ連動静止画記録装置に関する。
【０００２】
【従来の技術】
従来のこの種の記録装置には、受動型赤外線センサ（以下、「ＰＩＲセンサ」という）で所定の場所を通過する人物を検出して、ビデオカメラで動画として記録するとともに、センサの検知信号に基づいて、記録する画像の部分に索引信号を記録しておき、後で録画したテープを再生するとき、前記索引信号で頭出しするように構成しているものがある。
【０００３】
【発明が解決しようとする課題】
しかしながら、従来の記録装置では、再生するときビデオテープを１撮影単位ごとに早送りして見なければならないため、所望の画像を捜し出すのに長い時間を要していた。この問題を解決するために、センサの検知信号によってカメラで静止画を１枚だけ記録するシステムもあるが、静止画が横顔であったり、写りが悪かったりして、人物の特定が困難になる場合がある。
【０００４】
本発明は、上記のような問題点の解消を目的としてなされたもので、複数の静止画を記録したときでも、短時間で所望の画像を容易に検索できるセンサ連動静止画記録装置を得ることを目的としている。
【０００５】
【課題を解決するための手段】
本発明に係るセンサ連動静止画記録装置は、それぞれの検知エリア内の人体を検知する複数のセンサと、前記センサが人体を検知したとき検知エリアを含む撮像エリアの静止画を撮像する撮像手段と、この撮像手段からの画像信号を記録する画像記録手段と、前記複数のセンサの検知エリアの一部に設定した索引用エリアに存在する人体を検知して指令信号を出力する索引指令回路と、前記指令信号に基づいて、前記索引用エリア内の人体を撮像した画像信号に索引信号を付加する索引付加手段とを備えたものである。
【０００６】
本発明によれば、索引用エリア内にいる人物の静止画像に索引信号が付加して記録される。したがって、検知エリア内の人物を撮影した複数の静止画像が存在する場合でも、索引用エリアの静止画像を容易に検索できる。索引用エリアとして、カメラの撮像エリアの中央に位置するエリア、または人物がカメラの方向に向き易いエリアなど、適切なエリアを選んでおくことにより、人物の写りを良くすることができる。
【０００７】
前記索引用エリアとして、前記複数のセンサの一つの検知エリアを設定することができる。
【０００８】
また、前記センサを一対として、両センサの検知エリアの重なった部分を前記索引用エリアとして設定することができる。
【０００９】
【発明の実施の形態】
以下、本発明の実施形態を図面に基づいて説明する。
図１は、本発明の一実施形態を示す概略平面図である。図において、センサ部１は、第１，第２のＰＩＲセンサ２ａ，２ｂと、各ＰＩＲセンサ２ａ，２ｂの検知エリアを定める光学系である第１，第２のフレネルレンズ３ａ，３ｂとを有し、この光学系により、第１のＰＩＲセンサ２ａに第１の検知エリア４ａが、第２のＰＩＲセンサ２ｂに第２の検知エリア４ｂがそれぞれ設定され、さらに、両検知エリア４ａ，４ｂの一部の重なる部分が索引用エリア４ｃとして設定されている。このセンサ部１の前を人物Ａが矢印Ｇ方向に横切るように移動すると、人物Ａが第１の検知エリア４ａ内に居る間は第１のＰＩＲセンサ２ａが検知信号ａを制御回路５に送出し、ついで第２の検知エリア４ｂ内に居る間は第２のＰＩＲセンサ２ｂが検知信号ｂを制御回路５に送出する。
【００１０】
制御回路５を構成している撮影指令回路６は、検知信号ａおよびｂが入力されている間、撮影指令信号ｃを、撮像手段を構成しているデジタルカメラ７および画像記録手段８に送出し、静止画像記録回路９は、人物Ａが検知エリア４ａ，４ｂから出るまでの間、つまり、検知信号ａまたはｂが出力されている間、デジタルカメラ７から入力される静止画像信号ｄをカード型のメモリ１０に数秒間に１回の割合で静止画像を記録する。デジタルカメラ７は、検知エリア４ａ，４ｂを含む広い撮像エリア１５を有し、索引用エリア４ｃはデジタルカメラ７の撮像エリア１５の中央に位置している。
【００１１】
ここで、前記デジタルカメラ７を連写モードにして静止画像信号ｄを１秒間に数回の割合で記録することも可能であり、その場合、メモリ１０をフラッシュメモリとフレームメモリとで構成し、静止画像信号ｄを一旦フレームメモリに蓄えたのち、順次フラッシュメモリに記録する。
【００１２】
このとき、人物Ａが索引用エリア４ｃに居る間は、検知信号ａ，ｂが同時に制御回路５に入力されるので、この入力を受けて、制御回路５内の索引指令回路１１は、指令信号ｅを索引付加手段１２に送出する。索引付加手段１２は、撮影日時，索引番号，その他検索に必要なデータをデジタル化した索引信号ｆを静止画像記録回路９に送出し、静止画像記録回路９は、その索引信号ｆが出力されたタイミング、またはその直後に入力された静止画像信号ｄに索引信号ｆを付加してメモリ１０に記録する。索引信号ｆは、例えば静止画像信号ｄの頭の部分のアドレス欄に付加される。
【００１３】
このようにしてメモリ１０に記録された静止画像は、記録順で索引信号を検索すれば、記録順に人物Ａが索引用エリア４ｃに居るときの静止画像のみを順次見ることがでる。索引用に撮影した画像が横向きや後向きであるなど、不明瞭な場合は、その前後の静止画像を見ればよい。また、撮影日時で検索することにより、特定の時間帯、または特定の時刻の静止画像をピックアップして見ることもできる。したがって、所望の静止画像を短時間で検索することができる。ここで、デジタルカメラ７および索引用エリア４ｃを、例えば部屋の入口に向けて設定しておくと、入口から入ってくる人物の正面像を撮像した静止画像に索引信号が付加されることになり、有益な静止画像が検索される。
【００１４】
図２は、本発明の他の実施形態のセンサ部を示す斜視図である。図２において、センサ部１の第１のフレネルレンズ３ｃは、第１のＰＩＲセンサ２ｍに対して中央の索引用エリア４ｃを設定し、第２のフレネルレンズ３ｄは、第２のＰＩＲセンサ２ｎに対して前記索引用エリア４ｃの両側に検知エリア４ｄを設定する。第１のＰＩＲセンサ２ｍの検知信号ｍおよび第２のＰＩＲセンサ２ｎの検知信号ｎは、それぞれ制御回路５の撮影指令回路６および索引指令回路１１に入力され、撮影指令回路６は、検知信号ｍおよびｎが入力されている間、撮影指令信号ｃを撮像手段を構成しているデジタルカメラ７および画像記録手段８に送出し、静止画像記録回路９は、人物Ａが検知エリア４ｂ，４ａから出るまでの間、デジタルカメラ７から入力される静止画像信号ｄをカード型のメモリ１０に数秒間に１回の割合で静止画像を記録する。
【００１５】
また、索引指令回路１１は、検知信号ｍが入力されたとき指令信号ｅを索引付加手段１２に送出する。索引付加手段１２は、撮影日時，索引番号，その他検索に必要なデータをデジタル化した索引信号ｆを静止画像記録回路９に送出し、静止画像記録回路９は、その索引信号ｆをそのとき入力された静止画像信号ｄに付加してメモリ１０に記録する。
【００１６】
【発明の効果】
本発明によれば、記録された静止画像を索引信号を検索することで、所望の撮影画像を短時間で検索することができるセンサ連動静止画記録装置が得られる効果がある。
【図面の簡単な説明】
【図１】本発明の一実施形態に係るセンサ連動静止画記録装置の概略平面図である。
【図２】本発明の他の実施形態に係るセンサ部の構成を示す斜視図である。
【符号の説明】
１…センサ部、２，２ａ，２ｂ，２ｍ，２ｎ…ＰＩＲセンサ、３，３ａ〜３ｄ…フレネルレンズ、４ａ，４ｂ，４ｄ，４ｐ〜４ｔ…検知エリア、４ｃ…索引用エリア、５…制御回路、６…撮影指令回路、７…デジタルカメラ（撮像手段）、８…画像記録手段、９…静止画像記録回路、１０…メモリ、１１…索引指令回路、１２…索引付加手段、１５…撮像エリア、ｅ…指令信号、ｆ…索引信号。
【図１】
0003811722.tif 000002
【図２】
0003811722.tif 000003